(57)【要約】【課題】パネルに穴を空けることなく、簡単且つ安定性良くパネルを吊り上げることができ、作業性の向上を図ったパネル吊り上げ用治具を提供する。【解決手段】パネル吊り上げ用治具１０は、上端にアイボルト１３を有し、上部にガイド孔１５を備えた一対のパネル保持部材１１の上部が連結バー１２で連結され、ガイド孔１５に沿って上下動するスライド部材１６に設けた上部係合部材１７と下部係合部材１４とでパネルの上下を挟持する。スライド部材１６は、ハンドル部材２４を回動させて固定される。パネルの横移動は、蝶ボルト１８で防止する。【選択図】  図１
0003139921.tif 000002
【実用新案登録請求の範囲】
【請求項１】
建築用のパネルを吊り上げ手段により吊り上げるためのパネル吊り上げ用治具において、該パネル吊り上げ用治具は、上下方向に長尺な一対のパネル保持部材と、両パネル保持部材の上部を連結する水平方向の連結バーとを有し、前記パネル保持部材は、前記吊り上げ手段に連結される上端の掛金具と、下端部から一側方に突出して前記パネルの下縁部に係合する下部係合部材と、パネル保持部材の上部に形成された上下方向の長孔からなるガイド孔と、該ガイド孔に沿って上下動するスライド部材と、該スライド部材に設けられて前記下部係合部材との間でパネルを挟持する上部係合部材と、該パネル保持部材に保持したパネルの横移動を防止するパネル固定部材とを備え、前記スライド部材は、前記パネル保持部材を挟んで対向配置された押圧側部材及び引寄側部材と、前記ガイド孔を貫通して前記押圧側部材と前記引寄側部材とを連結する連結部材と、前記押圧側部材に回動可能に設けられたハンドル部材とを備え、該ハンドル部材の回動基部には、該ハンドル部材の回動に伴って前記パネル保持部材側に突出する押圧部が設けられるとともに、前記押圧側部材には、前記ハンドル部材が前記押圧部をパネル保持部材側に突出させる位置に回動したときにハンドル部材の回動を規制する規制部材を備えていることを特徴とするパネル吊り上げ用治具。
【請求項２】
前記ハンドル部材の押圧部とパネル保持部材との間に、スライド部材と一体的にスライドする摺板を設けたことを特徴とする請求項１記載のパネル吊り上げ用治具。
【請求項３】
前記上部係合部材は、複数種のパネルに対応した上部係合部材が前記スライド部材に着脱交換可能に設けられていることを特徴とする請求項１又は２記載のパネル吊り上げ用治具。
【考案の詳細な説明】
【技術分野】
【０００１】
本発明は、建築物のパネル施工時に、パネルをクレーンやウインチ等の吊り上げ手段で吊り上げて取付位置に搬送する際に用いるパネル吊り上げ用治具に関する。
【背景技術】
【０００２】
クレーンやウインチ等でパネルを吊り上げる場合に、パネルの上部に吊金具係合穴を２箇所設け、この取付穴にクレーンやウインチからのワイヤ先端に設けた吊金具を係合させてパネルを吊り上げることが行われていた（例えば、特許文献１参照。）
【特許文献１】実開平４−７９８７９号公報
【考案の開示】
【考案が解決しようとする課題】
【０００３】
しかし、上述のものではパネルに予め吊金具係合用の穴を設けておかなければならないことから、施工後に漏水に対する配慮が必要だった。また、パネルを玉掛けにより吊り上げる場合は、玉掛けに手間が掛かるだけでなく、パネルを水平且つ安定に吊り上げるためには熟練した技術が必要となっていた。
【０００４】
そこで本考案は、パネルに穴を空けることなく、簡単且つ安定性良くパネルを吊り上げることができ、作業性の向上を図ることのできるパネル吊り上げ用治具を提供することを目的としている。
【課題を解決するための手段】
【０００５】
上記の目的を達成するため本考案のパネル吊り上げ用治具は、建築用のパネルを吊り上げ手段により吊り上げるためのパネル吊り上げ用治具において、該パネル吊り上げ用治具は、上下方向に長尺な一対のパネル保持部材と、両パネル保持部材の上部を連結する水平方向の連結バーとを有し、前記パネル保持部材は、前記吊り上げ手段に連結される上端の掛金具と、下端部から一側方に突出して前記パネルの下縁部に係合する下部係合部材と、パネル保持部材の上部に形成された上下方向の長孔からなるガイド孔と、該ガイド孔に沿って上下動するスライド部材と、該スライド部材に設けられて前記下部係合部材との間でパネルを挟持する上部係合部材と、該パネル保持部材に保持したパネルの横移動を防止するパネル固定部材とを備え、前記スライド部材は、前記パネル保持部材を挟んで対向配置された押圧側部材及び引寄側部材と、前記ガイド孔を貫通して前記押圧側部材と前記引寄側部材とを連結する連結部材と、前記押圧側部材に回動可能に設けられたハンドル部材とを備え、該ハンドル部材の回動基部には、該ハンドル部材の回動に伴って前記パネル保持部材側に突出する押圧部が設けられるとともに、前記押圧側部材には、前記ハンドル部材が前記押圧部をパネル保持部材側に突出させる位置に回動したときにハンドル部材の回動を規制する規制部材を備えていることを特徴とし、さらに、前記ハンドル部材の押圧部とパネル保持部材との間に、スライド部材と一体的にスライドする摺板を設けたこと、前記上部係合部材は、複数種のパネルに対応した上部係合部材が前記スライド部材に着脱交換可能に設けられていることを特徴としている。
【考案の効果】
【０００６】
本考案のパネル吊り上げ用治具によれば、スライド部材を上方に位置させた状態で、下部係合部材をパネルの下縁部に係合させた後、スライド部材をガイド孔に沿って下方に移動させ、上部係合部材をパネルの上縁部に係合させて下部係合部材との間にパネルを挟持した状態でハンドル部材を回動させ、回動基部の押圧部をパネル保持部材側に突出させて押圧側部材と引寄側部材との間にパネル保持部材を挟み込んで固定して規制部材でハンドル部材の回動を規制するとともに、パネル固定部材で、パネルの横移動を防止することにより、パネルを安定した状態で保持することができ、掛金具に吊り上げ手段からのワイヤ等を連結することにより、パネルを吊り上げることができる。
【考案を実施するための最良の形態】
【０００７】
以下、本考案の一形態例を各図面に基づいて詳しく説明する。図１は本考案の一形態例を示すパネル吊り上げ用治具の斜視図、図２は要部拡大断面図、図３はパネルをパネル吊り上げ用治具に支持させる過程を示す説明図、図４はパネルを保持した状態を示すパネル吊り上げ用治具の説明図、図５はパネル吊り上げ用治具を用いてパネルを吊り上げた状態を示す説明図である。
【０００８】
このパネル吊り上げ用治具１０は、クレーン等の吊り上げ手段から繰り出されるワイヤ先端のフック２で建築用のパネル３を１枚ずつ吊り上げるためのものであって、パネル吊り上げ用治具１０は、上下方向に長尺な一対のパネル保持部材１１，１１と、両パネル保持部材１１，１１の上部を連結して所定間隔に保持する水平方向の連結バー１２とを有している。
【０００９】
前記パネル保持部材１１は、前記フック２に吊りロープ４を介して連結される上端の掛金具であるアイボルト１３と、下端部から一側方に突出して前記パネル３の下縁部３ａに係合する下部係合部材１４と、パネル保持部材１１の上部に形成された上下方向の長孔からなるガイド孔１５と、該ガイド孔１５に沿って上下動するスライド部材１６と、該スライド部材１６に設けられてパネル３の上縁部３ｂに係合することにより、前記下部係合部材１４との間でパネル３を挟持する上部係合部材１７と、パネル保持部材１１に保持したパネルの横移動を防止するパネル固定部材である蝶ボルト１８とを備えている。また、パネル保持部材１１の下部側には、軽量化を図るための通孔１９が複数設けられている。
【００１０】
前記スライド部材１６は、前記パネル保持部材１１を挟んで対向配置された押圧側部材２０及び引寄側部材２１と、前記ガイド孔１５を貫通して前記押圧側部材２０と前記引寄側部材２１とを連結する連結部材である連結ボルト２２及び連結ナット２３と、前記押圧側部材２０に回動可能に設けられたハンドル部材２４とを備えている。
【００１１】
前記ハンドル部材２４の回動基部２４ａには、該ハンドル部材２４の回動に伴って前記パネル保持部材１１側に突出する押圧部２４ｂが設けられるとともに、前記押圧側部材２０には、前記ハンドル部材２４が前記押圧部２４ｂをパネル保持部材１１側に突出させる位置に回動したときにハンドル部材２４の回動を規制する規制部材であるストッパピン２５と、前記ハンドル部材２４の押圧部２４ｂとパネル保持部材１１との間に設けられスライド部材１６と一体的にスライドする摺板２６とを備えており、ストッパピン２５は、チェーン２７を介してスライド部材１６に取り付けられている。
【００１２】
パネル保持部材１１は、細長い板状部材を加工したものであって、上部に上下方向の前記ガイド孔１５が、中央部から下方に５つの通孔１９がそれぞれ形成されるとともに、上端部が一側方に折り曲げられた折曲げ片１１ａが形成され、この折曲げ片１１ａに前記アイボルト１３がナットを介して螺着されている。折曲げ片１１ａが形成された角部には支持板２８が設けられ、この支持板２８に前記連結バー１２の両端がそれぞれ溶着されている。
【００１３】
下部係合部材１４は、パネル保持部材１１の下端部に取り付けられる略三角形状の取付片１４ａと、該取付片１４ａから一側方へ突出して上方に折り曲げられた係合部１４ｂとを備えている。上部係合部材１７は、竪断面が下向きのコ字状に形成されており、天板から上方に突出したボルト２９によってスライド部材１６の下部に着脱交換可能に取り付けられる。また、上部係合部材１７のパネル３の上面及び内面と接触する部分には保護用のゴムシート３０が貼り付けられており、パネル前面側には蝶ボルト挿通孔１７ａが穿設され、その外面に前記蝶ボルト１８を螺着するためのナット３１が熔着されている。
【００１４】
スライド部材１６の押圧側部材２０は、対向する側面板２０ａ，２０ａと両側面板２０ａのパネル保持部材１１側を繋ぐ底板２０ｂからなる横断面コ字状を有しており、上下両端部に前記連結ボルト２２の頭部がそれぞれ溶着されている。前記ガイド孔１５を貫通した連結ボルト２２の軸部には、前記引寄側部材２１が、前記連結ナット２３の第１固定ナット２３ａと第２固定ナット２３ｂとによって挟着固定され、押圧側部材２０側の第１固定ナット２３ａがガイド孔１５内に位置するように配置されている。さらに、連結ボルト２２の頭部と第１固定ナット２３ａとの間には、押圧側部材２０とパネル保持部材１１との間に配置される前記摺板２６がボルト軸方向に移動可能に設けられている。また、両側面板２０ａには、前記ハンドル部材２４を回動可能に装着するための軸部材３２が取り付けられる回動軸装着孔２０ｃと、前記ストッパピン２５が挿入されるストッパピン挿入口２０ｄとが対向位置にそれぞれ設けられている。さらに、底板２０ｂの上下方向中間部には、ハンドル部材２４の押圧部２４ｂをパネル保持部材１１側に突出可能とするための開口部２０ｅが設けられている。
【００１５】
スライド部材１６の引寄側部材２１は、パネル保持部材１１に沿う方向の摺動片２１ａと、該摺動片２１ａの下端から水平方向に突出した上部係合部材取付片２１ｂとを有する竪断面がＬ字状の部材であって、摺動片２１ａの上下には前記連結ボルト２２が貫通する通孔２１ｃが設けられ、上部係合部材取付片２１ｂの通孔（図示せず）を貫通した前記上部係合部材１７のボルト２９がナット３３で固定されることにより、引寄側部材２１の下部に前記上部係合部材１７が取り付けられる。
【００１６】
ハンドル部材２４は、前記軸部材３２に軸着される回動基部２４ａと、該回動基部２４ａから延出した棒状の握り部２４ｃと、該握り部２４ｃに対して直交する方向に回動基部２４ａから円弧状に突出した前記押圧部２４ｂとを有しており、握り部２４ｃをパネル保持部材１１に対して略平行な方向の固定位置に回動させたときに押圧部２４ｂが前記押圧側部材２０の開口部２０ｅからパネル保持部材１１側に突出し、握り部２４ｃをパネル保持部材１１に対して略直交する方向の解除位置に回動させたときに押圧部２４ｂが押圧側部材２０の両側面板２０ａ間に収容されるように形成されている。また、握り部２４ｃには、前記ストッパピン２５の挿通孔２４ｄが形成されており、前記ストッパピン挿入口２０ｄから挿通孔２４ｄにストッパピン２５を挿入することにより、ハンドル部材２４の回動が規制されてハンドル部材２４が固定位置に保持される。
【００１７】
摺板２６は、上部中央と下部中央とに切欠き部２６ａをそれぞれ形成した略Ｈ形の板材であって、切欠き部２６ａに前記連結ボルト２２の軸部がそれぞれ係合することによって脱落が防止され、スライド部材１６と一体に上下動可能に形成されている。
【００１８】
スライド部材１６のパネル保持部材１１への取り付けは、上下一対の連結ボルト２２間に摺板２６を配置した状態で前記第１固定ナット２３ａを所定位置まで螺合し、連結ボルト２２及び第１固定ナット２３ａをガイド孔１５に挿通した後、引寄側部材２１の摺動片２１ａに形成した前記通孔２１ｃに連結ボルト２２の軸部先端を挿入してから前記第２固定ナット２３ｂを螺着し、第２固定ナット２３ｂを締め付けて第１固定ナット２３ａとの間に引寄側部材２１を挟着固定することにより行われる。また、スライド部材１６の下部には、吊り上げるパネル３に応じた上部係合部材１７を取り付けてボルト２９を前記ナット３３で固定する。これにより、スライド部材１６は、上下の第１固定ナット２３ａがガイド孔１５に収容されて上下方向にガイドされ、上部係合部材１７がスライド部材１６と共にパネル保持部材１１の上部を上下動可能な状態となる。
【００１９】
次に、上述のパネル吊り上げ用治具１０を用いて、パネル３をクレーンで吊り上げて取付位置に搬送する作業手順について説明する。まず、建築現場に横積みされた複数のパネル３の最上部のパネルの下に角材を２本挿入し、上から１枚目のパネルと２枚目のパネルとの間に隙間を形成し、この隙間にパネル吊り上げ用治具１０を横にしてパネル保持部材１１，１１を下部係合部材１４，１４側から挿入する。このとき、ハンドル部材２４は、図２に想像線で示すように、握り部２４ｃがパネル保持部材１１に対して直交する方向の解除位置に回動させ、上部係合部材１７をスライド部材１６と共にガイド孔１５に沿ってスライドさせ、パネル保持部材１１の上部側に位置させておく。
【００２０】
パネル３の中心線とパネル吊り上げ用治具１０の中心部との位置を合わせた状態で、両パネル保持部材１１，１１の挿入側先端にある下部係合部材１４，１４をパネル３の下縁部３ａである下枠にそれぞれ係合させた後、スライド部材１６をパネル保持部材１１の下部側にスライドさせ、上部係合部材１７をパネル３の上縁部３ｂである上枠に係合させる。この状態でハンドル部材２４を図２に実線で示すように、握り部２４ｃがパネル保持部材１１に対して平行な方向の固定位置に約９０度回動させる。ハンドル部材２４が解除位置から固定位置に回動するのに伴い、押圧部２４ｂが押圧側部材２０の開口部２０ｅからパネル保持部材１１側に向けて突出し、押圧部２４ｂが摺板２６をパネル保持部材１１の押圧部２４ｂ側面に押圧して摺板２６とパネル保持部材１１とが面接触して密着した状態になる。さらに、押圧部２４ｂが摺板２６を押圧する反作用によって引寄側部材２１が連結ボルト２２を介してパネル保持部材１１側に引き寄せられ、引寄側部材２１とパネル保持部材１１とが面接触して密着した状態になる。これにより、パネル保持部材１１が摺板２６と引寄側部材２１との間に挟持されて位置決めされ、下部係合部材１４と上部係合部材１７との間にパネル３を挟持した状態で固定される。
【００２１】
次いで、押圧側部材２０のストッパピン挿入口２０ｄとハンドル部材２４の挿通孔２４ｄとを貫通させてストッパピン２５を挿入し、ハンドル部材２４の回動を規制してパネル３の保持状態を確保するとともに、蝶ボルト１８をナット３１にねじ込み、蝶ボルト挿通孔１７ａから上部係合部材１７内に突出させた蝶ボルト先端でパネル３の上枠を押圧することにより、パネルの横移動を防止する。この状態でアイボルト１３に連結した吊りロープ４をフック２に巻掛けることにより、図５に示すように、パネル３をクレーンで吊り上げて取付位置まで搬送することができる。
【００２２】
パネル３を取付位置まで搬送した後、蝶ボルト１８を緩め、ストッパピン２５を引き抜き、ハンドル部材２４を解除位置に回動させ、スライド部材１６をパネル保持部材１１の上部側に移動させた後、パネル保持部材１１を僅かに下方に移動させて下部係合部材１４と下枠との係合を解除することにより、パネル３からパネル吊り上げ用治具１０を取り外すことができる。
【００２３】
このように、本形態例のパネル吊り上げ用治具１０では、ハンドル部材２４の回動とスライド部材１６のスライドとにより、パネル吊り上げ用治具１０にパネル３を簡単に着脱することができ、クレーン等によるパネル３の搬送を容易にかつ安定した状態で行うことができる。また、スライド部材１６のスライド量を適当に設定することにより、高さ寸法が異なるパネルの搬送にも対応でき、上部係合部材をスライド部材に交換可能に取り付けることにより、パネルの見込み寸法（厚み）に対応した上部係合部材を選択することにより、見込み寸法が異なるパネルの搬送にも対応することができる。
【００２４】
なお、ハンドル部材２４の押圧部２４ｂでパネル保持部材１１を直接押圧して固定することもできるが、摺板２６を介在させて面で密着させることにより、安定した状態でスライド部材１６の固定状態を確保することができ、押圧部２４ｂやパネル保持部材１１の摩耗等も抑えることができる。
【図面の簡単な説明】
【００２５】
【図１】本考案の一形態例を示すパネル吊り上げ用治具の斜視図である。
【図２】同じく要部拡大断面図である。
【図３】同じくパネルをパネル吊り上げ用治具に支持させる過程を示す説明図である。
【図４】同じくパネルを保持した状態を示すパネル吊り上げ用治具の説明図である。
【図５】同じくパネル吊り上げ用治具を用いてパネルを吊り上げた状態を示す説明図である。
【符号の説明】
【００２６】
２…フック、３…パネル、３ａ…下縁部、３ｂ…上縁部、４…ロープ、１０…パネル吊り上げ用治具、１１…パネル保持部材、１１ａ…折曲げ片、１２…連結バー、１３…アイボルト、１４…下部係合部材、１４ａ…取付片、１４ｂ…係合部、１５…ガイド孔、１６…スライド部材、１７…上部係合部材、１７ａ…蝶ボルト挿通孔、１８…蝶ボルト、１９…通孔、２０…押圧側部材、２０ａ…側面板、２０ｂ…底板、２０ｃ…回動軸装着孔、２０ｄ…ストッパピン挿入口、２０ｅ…開口部、２１…引寄側部材、２１ａ…摺動片、２１ｂ…上部係合部材取付片、２１ｃ…通孔、２２…連結ボルト、２３…連結ナット、２３ａ…第１固定ナット、２３ｂ…第１固定ナット、２４…ハンドル部材、２４ａ…回動基部、２４ｂ…押圧部、２４ｃ…握り部、２４ｄ…挿通孔、２５…ストッパピン、２６…摺板、２６ａ…切欠き部、２７…チェーン、２８…支持板、２９…ボルト、３０…ゴムシート、３１…ナット、３２…軸部材、３３…ナット
【図１】
0003139921.tif 000003
【図２】
0003139921.tif 000004
【図３】
0003139921.tif 000005
【図４】
0003139921.tif 000006
【図５】
0003139921.tif 000007